(57)【要約】【課題】  ＩＭＳ／ＭＭＤ方式のフェムトセルシステム配下と回線交換網配下との間のハンドオーバを実現可能なフェムトセルシステムを提供する。【解決手段】  フェムトセルシステムは、呼処理をＩＭＳ（ＩＰ  Ｍｕｌｔｉｍｅｄｉａ  Ｓｕｂｓｙｓｔｅｍ）／ＭＭＤ（ＭｕｌｔｉＭｅｄｉａ  Ｄｏｍａｉｎ）に統合したＩＭＳ／ＭＭＤ接続方式を採用している。また、フェムトセルシステムは、回線交換網配下の移動端末のハンドオーバ処理を行うＭＳＣとの間で呼処理信号をやりとりする第１のゲートウェイ装置と、ＭＳＣとの間で音声パスを接続する第２のゲートウェイ装置とを有する。【選択図】      図１
2011171779.tif 000002
【特許請求の範囲】
【請求項１】
呼処理をＩＭＳ（ＩＰ  Ｍｕｌｔｉｍｅｄｉａ  Ｓｕｂｓｙｓｔｅｍ）／ＭＭＤ（ＭｕｌｔｉＭｅｄｉａ  Ｄｏｍａｉｎ）に統合したＩＭＳ／ＭＭＤ接続方式を採用するフェムトセルシステムであって、
回線交換網配下の移動端末のハンドオーバ処理を行うＭＳＣ（Ｍｏｂｉｌｅ  Ｓｗｉｔｃｈｉｎｇ  Ｃｅｎｔｒｅ）との間で呼処理信号をやりとりする第１のゲートウェイ装置と、前記ＭＳＣとの間で音声パスを接続する第２のゲートウェイ装置とを有することを特徴とするフェムトセルシステム。
【請求項２】
前記第１のゲートウェイ装置は、前記ＭＳＣと通信して前記回線交換網と前記フェムトセル網との間のハンドオーバに必要な情報の交換を実施し、前記第２のゲートウェイ装置を制御して前記第２のゲートウェイ装置と前記ＭＳＣとの間の音声パスを設定することを特徴とする請求項１記載のフェムトセルシステム。
【請求項３】
前記第１及び第２のゲートウェイ装置は、ＩＭＳ／ＭＭＤ網の入り口に設けられ、前記ＩＭＳ／ＭＭＤ網から見たＳＩＰ（Ｓｅｓｓｉｏｎ  Ｉｎｉｔｉａｔｅｄ  Ｐｒｏｔｏｃｏｌ）端末を擬似することを特徴とする請求項１または請求項２記載のフェムトセルシステム。
【請求項４】
前記第１のゲートウェイ装置がＦｅｍｔｏ−ＧＷ（Ｆｅｍｔｏ  ＧａｔｅＷａｙ）であり、
前記第２のゲートウェイ装置がＦｅｍｔｏ−ＭＧＷ（Ｆｅｍｔｏ  Ｍｅｄｉａ  Ｇａｔｅｗａｙ）であることを特徴とする請求項１から請求項３のいずれか記載のフェムトセルシステム。
【請求項５】
呼処理をＩＭＳ（ＩＰ  Ｍｕｌｔｉｍｅｄｉａ  Ｓｕｂｓｙｓｔｅｍ）／ＭＭＤ（ＭｕｌｔｉＭｅｄｉａ  Ｄｏｍａｉｎ）に統合したＩＭＳ／ＭＭＤ接続方式を採用するフェムトセルシステムに用いるゲートウェイ装置であって、
回線交換網配下の移動端末のハンドオーバ処理を行うＭＳＣ（Ｍｏｂｉｌｅ  Ｓｗｉｔｃｈｉｎｇ  Ｃｅｎｔｒｅ）との間で呼処理信号をやりとりする第１の手段と、前記ＭＳＣとの間で音声パスを接続する他のゲートウェイ装置を制御する第２の手段とを有することを特徴とするゲートウェイ装置。
【請求項６】
前記第１の手段は、前記ＭＳＣと通信して前記回線交換網と前記フェムトセル網との間のハンドオーバに必要な情報の交換を実施し、
前記第２の手段は、前記他のゲートウェイ装置を制御して前記他のゲートウェイ装置と前記ＭＳＣとの間の音声パスを設定することを特徴とする請求項５記載のゲートウェイ装置。
【請求項７】
自装置及び前記他のゲートウェイ装置は、ＩＭＳ／ＭＭＤ網の入り口に設けられ、前記ＩＭＳ／ＭＭＤ網から見たＳＩＰ（Ｓｅｓｓｉｏｎ  Ｉｎｉｔｉａｔｅｄ  Ｐｒｏｔｏｃｏｌ）端末を擬似することを特徴とする請求項５または請求項６記載のゲートウェイ装置。
【請求項８】
自装置がＦｅｍｔｏ−ＧＷ（Ｆｅｍｔｏ  ＧａｔｅＷａｙ）であり、
前記他のゲートウェイ装置がＦｅｍｔｏ−ＭＧＷ（Ｆｅｍｔｏ  Ｍｅｄｉａ  Ｇａｔｅｗａｙ）であることを特徴とする請求項５から請求項７のいずれか記載のゲートウェイ装置。
【請求項９】
呼処理をＩＭＳ（ＩＰ  Ｍｕｌｔｉｍｅｄｉａ  Ｓｕｂｓｙｓｔｅｍ）／ＭＭＤ（ＭｕｌｔｉＭｅｄｉａ  Ｄｏｍａｉｎ）に統合したＩＭＳ／ＭＭＤ接続方式を採用するフェムトセルシステムに用いる回線交換網間ハンドオーバ方法であって、
第１のゲートウェイ装置にて、回線交換網配下の移動端末のハンドオーバ処理を行うＭＳＣ（Ｍｏｂｉｌｅ  Ｓｗｉｔｃｈｉｎｇ  Ｃｅｎｔｒｅ）との間で呼処理信号をやりとりし、
第２のゲートウェイ装置にて、前記ＭＳＣとの間で音声パスを接続することを特徴とする回線交換網間ハンドオーバ方法。
【請求項１０】
前記第１のゲートウェイ装置が、前記ＭＳＣと通信して前記回線交換網と前記フェムトセル網との間のハンドオーバに必要な情報の交換を実施し、前記第２のゲートウェイ装置を制御して前記第２のゲートウェイ装置と前記ＭＳＣとの間の音声パスを設定することを特徴とする請求項９記載の回線交換網間ハンドオーバ方法。
【請求項１１】
前記第１及び第２のゲートウェイ装置を、ＩＭＳ／ＭＭＤ網の入り口に設け、前記ＩＭＳ／ＭＭＤ網から見たＳＩＰ（Ｓｅｓｓｉｏｎ  Ｉｎｉｔｉａｔｅｄ  Ｐｒｏｔｏｃｏｌ）端末を擬似することを特徴とする請求項９または請求項１０記載の回線交換網間ハンドオーバ方法。
【請求項１２】
前記第１のゲートウェイ装置がＦｅｍｔｏ−ＧＷ（Ｆｅｍｔｏ  ＧａｔｅＷａｙ）であり、
前記第２のゲートウェイ装置がＦｅｍｔｏ−ＭＧＷ（Ｆｅｍｔｏ  Ｍｅｄｉａ  Ｇａｔｅｗａｙ）であることを特徴とする請求項９から請求項１１のいずれか記載の回線交換網間ハンドオーバ方法。
【発明の詳細な説明】
【技術分野】
【０００１】
本発明はフェムトセルシステム、ゲートウェイ装置及びそれらに用いる回線交換網間ハンドオーバ方法に関し、特にＩＭＳ（ＩＰ  Ｍｕｌｔｉｍｅｄｉａ  Ｓｕｂｓｙｓｔｅｍ）／ＭＭＤ（ＭｕｌｔｉＭｅｄｉａ  Ｄｏｍａｉｎ）接続方式のフェムトセルシステムに関する。
【背景技術】
【０００２】
フェムトセルシステムにおいては、「高層マンションや地下等のインドア不感地帯の低コストでのエリアを拡大する」、「フェムトセルシステムのアクセス回線にブロードバンド回線を利用することで、複合的なＦＭＣ（Ｆｉｘｅｄ  Ｍｏｂｉｌｅ  Ｃｏｎｖｅｒｇｅｎｃｅ）サービスを展開する」、「インドアのデータトラフィックをフェムトセルシステムに迂回させることで、マクロ基地局の設備投資を抑制する」等の目的で、モバイルオペレータによって導入が検討されている。
【０００３】
フェムトセルシステムの実現方式としては、ＲＮＣ（Ｒａｄｉｏ  Ｎｅｔｗｏｒｋ  Ｃｏｎｔｒｏｌｌｅｒ）の配下にＦｅｍｔｏ−ＡＰ（Ａｃｃｅｓｓ  Ｐｏｉｎｔ）を配置する方式、ＭＳＣ（Ｍｏｂｉｌｅ  Ｓｗｉｔｃｈｉｎｇ  Ｃｅｎｔｒｅ）の配下にＦｅｍｔｏ−ＡＰを配置する方式、Ｆｅｍｔｏ−ＡＰが直接ＩＭＳ／ＭＭＤに接続する方式等、複数の実現方式が存在する。
【０００４】
ＩＭＳ（ＩＰ  Ｍｕｌｔｉｍｅｄｉａ  Ｓｕｂｓｙｓｔｅｍ）／ＭＭＤ（ＭｕｌｔｉＭｅｄｉａ  Ｄｏｍａｉｎ）を導入済みのオペレータ、あるいは今後ＩＭＳ／ＭＭＤを導入しようと検討しているオペレータは、フェムトセルシステムの呼処理もＩＭＳ／ＭＭＤに統合することによって、将来にわたる設備投資を抑えることができる。
【０００５】
ＩＭＳ／ＭＭＤについては、以下の特許文献１に記載の技術がある。特許文献１には、ＩＭＳ／ＭＭＤアーキテクチャのためのＰ−ＣＳＣＦ（Ｐｒｏｘｙ  Ｃａｌｌ  Ｓｅｓｓｉｏｎ  Ｃｏｎｔｒｏｌ  Ｆｕｎｃｔｉｏｎ）高速ハンドオフについて記載されている。
【０００６】
また、ＩＭＳ／ＭＭＤ方式のフェムトセルネットワークの概要を図１２に示す。回線交換網３００側には、回線交換網配下にＭＳ（Ｍｏｂｉｌｅ  Ｓｔａｔｉｏｎ：端末）１が存在する。回線交換網３００の構成ノードとしては、ＲＡＮ（Ｒａｄｉｏ  Ａｃｃｅｓｓ  Ｎｅｔｗｏｒｋ）側装置であるＲＮＣ／基地局２と、コア側ノードであるＭＳＣ３と、他網接続とのゲートとなるＧＳ（Ｇａｔｅｗａｙ  ＭＳＣ）４と、加入者データを管理するＨＬＲ（Ｈｏｍｅ  Ｌｏｃａｔｉｏｎ  Ｒｅｇｉｓｔｅｒ）／ＨＳＳ（Ｈｏｍｅ  Ｓｕｂｓｃｒｉｂｅｒ  Ｓｅｒｖｅｒ）５とが存在する。
【０００７】
また、ＩＭＳ／ＭＭＤ方式のフェムトセルシステムを構成するノードとしては、Ｆｅｍｔｏ配下にＭＳ６が存在し、ＭＳ６からの回線交換網３００の呼処理信号をＳＩＰ（Ｓｅｓｓｉｏｎ  Ｉｎｉｔｉａｔｅｄ  Ｐｒｏｔｏｃｏｌ）信号に変換するＦｅｍｔｏ−ＡＰ７が配置される。
【０００８】
Ｆｅｍｔｏ−ＡＰ７とＰＤＧ（Ｐａｃｋｅｔ  Ｄａｔｅ  Ｇａｔｅｗａｙ）／ＡＧＷ（Ａｃｃｅｓｓ  ＧａｔｅＷａｙ）８との間では、セキュリティ確保のためにＩＰｓｅｃ（Ｉｎｔｅｒｎｅｔ  Ｐｒｏｔｏｃｏｌ  ｓｅｃｕｒｉｔｙ  ｐｒｏｔｏｃｏｌ）トンネルを確立し、その確立したＩＰｓｅｃトンネルを通してＩＭＳ／ＭＭＤ網４００に接続する。
【０００９】
ＩＭＳ／ＭＭＤ網４００には、呼処理を行うＣＳＣＦ（Ｃａｌｌ  Ｓｅｒｖｅｒ  Ｃｏｎｔｒｏｌ  Ｆｕｎｃｔｉｏｎ）９と、付加サービスのサービス制御を行うＡＳ（Ａｐｐｌｉｃａｔｉｏｎ  Ｓｅｒｖｅｒ）１０と、他網接続とのゲートとなるＭＧＣＦ（Ｍｅｄｉａ  Ｇａｔｅｗａｙ  Ｃｏｎｔｒｏｌ  Ｆｕｎｃｔｉｏｎ）／ＩＭ−ＭＧＷ（ＩＰ  Ｍｕｌｔｉｍｅｄｉａ  ＭＧＷ）１１と、加入者データを管理するＨＬＲ／ＨＳＳ５とが存在する。
【００１０】
ここで、ＲＮＣ／基地局２は、ＲＮＣと基地局とに分離され、ネットワークに配置されることが一般的である。また、ＨＬＲ／ＨＳＳ５は、ＨＬＲ機能とＨＳＳ機能との縮退構成として記載しているが、ネットワークによって、回線交換網３００内にＨＬＲが、ＩＭＳ／ＭＭＤ網４００内にＨＳＳが存在するケースもある。
【００１１】
図１２に示すネットワークによって、回線交換網配下のＭＳ１とＦｅｍｔｏ配下のＭＳ６との通信は可能となる。呼処理に用いるＣ−Ｐｌａｎｅ信号（信号）とＵ−Ｐｌａｎｅデータ（音声）の導通例を図１３に示す。図１３には、ＩＭＳ／ＭＭＤ方式の回線交換網とフェムトセルとの間の通信の概要に示してい。
【００１２】
この場合、信号は、ＭＳ１、ＲＮＣ／基地局２、ＭＳＣ３、ＧＳ４、ＭＧＣＦ／ＩＭ−ＭＧＷ１１、ＣＳＣＦ９、ＡＳ１０、ＰＤＧ／ＡＧＷ８、Ｆｅｍｔｏ−ＡＰ７、ＭＳ６の各機器を通して接続される。また、音声は、ＭＳ１、ＲＮＣ／基地局２、ＭＳＣ３、ＧＳ４、ＭＧＣＦ／ＩＭ−ＭＧＷ１１、ＰＤＧ／ＡＧＷ８、Ｆｅｍｔｏ−ＡＰ７、ＭＳ６の各機器を通して接続される。
【００１３】
【特許文献１】特開２００８−０７２６８７号公報
【発明の開示】
【発明が解決しようとする課題】
【００１４】
上述したＦｅｍｔｏ−ＡＰが直接ＩＭＳ／ＭＭＤに接続する方式（ＩＭＳ／ＭＭＤ方式）には、以下に示すような課題がある。すなわち、図１２に示すネットワーク構成では、回線交換網配下とフェムトセル配下との間のハンドオーバに問題がある。
【００１５】
回線交換網３００とフェムトセル網２００との間のハンドオーバは、ＩＭＳ／ＭＭＤ網４００内のＡＳ１０でハンドオーバ制御を実施する検討が進められているが、回線交換網３００側のノードにも機能追加が必須となっており、既存の回線交換網３００とフェムトセル網２００との間のハンドオーバは、実現が不可能である。
【００１６】
上記の特許文献１には、Ｐ−ＣＳＣＦ高速ハンドオフについて記載されているが、回線交換網とフェムトセル網との間のハンドオーバについては記載されておらず、上記の課題を解決することはできない。
【００１７】
そこで、本発明の目的は上記の問題点を解消し、ＩＭＳ／ＭＭＤ方式のフェムトセルシステム配下と回線交換網配下との間のハンドオーバを実現することができるフェムトセルシステム、ゲートウェイ装置及びそれに用いる回線交換網間ハンドオーバ方法を提供することにある。
【課題を解決するための手段】
【００１８】
本発明によるフェムトセルシステムは、呼処理をＩＭＳ（ＩＰ  Ｍｕｌｔｉｍｅｄｉａ  Ｓｕｂｓｙｓｔｅｍ）／ＭＭＤ（ＭｕｌｔｉＭｅｄｉａ  Ｄｏｍａｉｎ）に統合したＩＭＳ／ＭＭＤ接続方式を採用するフェムトセルシステムであって、
回線交換網配下の移動端末のハンドオーバ処理を行うＭＳＣ（Ｍｏｂｉｌｅ  Ｓｗｉｔｃｈｉｎｇ  Ｃｅｎｔｒｅ）との間で呼処理信号をやりとりする第１のゲートウェイ装置と、前記ＭＳＣとの間で音声パスを接続する第２のゲートウェイ装置とを備えている。
【００１９】
本発明によるゲートウェイ装置は、呼処理をＩＭＳ（ＩＰ  Ｍｕｌｔｉｍｅｄｉａ  Ｓｕｂｓｙｓｔｅｍ）／ＭＭＤ（ＭｕｌｔｉＭｅｄｉａ  Ｄｏｍａｉｎ）に統合したＩＭＳ／ＭＭＤ接続方式を採用するフェムトセルシステムに用いるゲートウェイ装置であって、
回線交換網配下の移動端末のハンドオーバ処理を行うＭＳＣ（Ｍｏｂｉｌｅ  Ｓｗｉｔｃｈｉｎｇ  Ｃｅｎｔｒｅ）との間で呼処理信号をやりとりする第１の手段と、前記ＭＳＣとの間で音声パスを接続する他のゲートウェイ装置を制御する第２の手段とを備えている。
【００２０】
本発明による回線交換網間ハンドオーバ方法は、呼処理をＩＭＳ（ＩＰ  Ｍｕｌｔｉｍｅｄｉａ  Ｓｕｂｓｙｓｔｅｍ）／ＭＭＤ（ＭｕｌｔｉＭｅｄｉａ  Ｄｏｍａｉｎ）に統合したＩＭＳ／ＭＭＤ接続方式を採用するフェムトセルシステムに用いる回線交換網間ハンドオーバ方法であって、
第１のゲートウェイ装置にて、回線交換網配下の移動端末のハンドオーバ処理を行うＭＳＣ（Ｍｏｂｉｌｅ  Ｓｗｉｔｃｈｉｎｇ  Ｃｅｎｔｒｅ）との間で呼処理信号をやりとりし、
第２のゲートウェイ装置にて、前記ＭＳＣとの間で音声パスを接続している。
【発明の効果】
【００２１】
本発明は、上記のような構成及び動作とすることで、ＩＭＳ／ＭＭＤ方式のフェムトセルシステム配下と回線交換網配下との間のハンドオーバを実現することができるという効果が得られる。
【発明を実施するための最良の形態】
【００２２】
次に、本発明の実施の形態について図面を参照して説明する。まず、本発明によるフェムトセルシステムの概要について説明する。本発明によるフェムトセルシステムは、Ｆｅｍｔｏ−ＧＷ（Ｆｅｍｔｏ  ＧａｔｅＷａｙ）とＦｅｍｔｏ−ＭＧＷ（Ｆｅｍｔｏ  Ｍｅｄｉａ  Ｇａｔｅｗａｙ）とを用いたＩＭＳ（ＩＰ  Ｍｕｌｔｉｍｅｄｉａ  Ｓｕｂｓｙｓｔｅｍ）／ＭＭＤ（ＭｕｌｔｉＭｅｄｉａ  Ｄｏｍａｉｎ）方式のフェムトセルシステム配下と回線交換網配下との間のハンドオーバ方式を提供する。
【００２３】
図１は本発明によるＦｅｍｔｏ−ＧＷとＦｅｍｔｏ−ＭＧＷとを導入した後のＩＭＳ／ＭＭＤ方式のフェムトセルシステムのネットワーク概要を示す図である。図１において、Ｆｅｍｔｏ−ＧＷ１２及びＦｅｍｔｏ−ＭＧＷ１３は、それぞれＰＤＧ（Ｐａｃｋｅｔ  Ｄａｔａ  Ｇａｔｅｗａｙ）／ＡＧＷ（Ａｃｃｅｓｓ  Ｇａｔｅｗａｙ）８を経由してＦｅｍｔｏ−ＡＰ（Ｆｅｍｔｏ  Ａｃｃｅｓｓ  Ｐｏｉｎｔ）７と接続するとともに、ＩＭＳ／ＭＭＤコアネットワークに接続し、呼処理信号、音声データを送受信する。
【００２４】
また、Ｆｅｍｔｏ−ＧＷ１２は、回線交換網３００のコアノードであるＭＳＣ（Ｍｏｂｉｌｅ  Ｓｗｉｔｃｈｉｎｇ  Ｃｅｎｔｒｅ）３とも接続し、ハンドオーバ処理を実現する。これによって、本発明では、上述した課題を解決することができる。
【００２５】
本発明では、図１に示すネットワークによって、回線交換網配下のＭＳ（Ｍｏｂｉｌｅ  Ｓｔａｔｉｏｎ：端末）１と、Ｆｅｍｔｏ配下のＭＳ６との通信が可能となる。
【００２６】
図２は図１のＦｅｍｔｏ−ＧＷ１２とＦｅｍｔｏ−ＭＧＷ１３とを導入した後のＩＭＳ／ＭＭＤ方式のフェムトセル網２００と回線交換網３００との間の通信概要を示す図である。図２においては、呼処理に用いるＣ−Ｐｌａｎｅ信号（信号）とＵ−Ｐｌａｎｅデータ（音声）との導通例を示している。
【００２７】
信号は、ＭＳ１、ＲＮＣ／基地局２、ＭＳＣ３、ＧＳ（Ｇａｔｅｗａｙ  ＭＳＣ）４、ＭＧＣＦ（Ｍｅｄｉａ  Ｇａｔｅｗａｙ  Ｃｏｎｔｒｏｌ  Ｆｕｎｃｔｉｏｎ）／ＩＭ−ＭＧＷ（ＩＰ  Ｍｕｌｔｉｍｅｄｉａ  ＭＧＷ）１１、ＣＳＣＦ（Ｃａｌｌ  Ｓｅｒｖｅｒ  Ｃｏｎｔｒｏｌ  Ｆｕｎｃｔｉｏｎ）９、ＡＳ（Ａｐｐｌｉｃａｔｉｏｎ  Ｓｅｒｖｅｒ）１０、Ｆｅｍｔｏ−ＧＷ１２、ＰＤＧ／ＡＧＷ８、Ｆｅｍｔｏ−ＡＰ７、ＭＳ６の各機器を通して接続される。
【００２８】
音声は、ＭＳ１、ＲＮＣ／基地局２、ＭＳＣ３、ＧＳ４、ＭＧＣＦ／ＩＭ−ＭＧＷ１１、Ｆｅｍｔｏ−ＭＧＷ１３、ＰＤＧ／ＡＧＷ８、Ｆｅｍｔｏ−ＡＰ７、ＭＳ６の各機器を通して接続される。
【００２９】
ハンドオーバ処理時には、Ｆｅｍｔｏ−ＧＷ１２が回線交換網３００側のノードであるＭＳＣ３と通信してハンドオーバに必要な情報の交換を実施し、Ｆｅｍｔｏ−ＭＧＷ１３を制御することによって、Ｆｅｍｔｏ−ＭＧＷ１３とＭＳＣ３との間の音声パスを設定する。
【００３０】
したがって、本発明では、呼処理をＩＭＳ／ＭＭＤに統合したＩＭＳ／ＭＭＤ接続方式を採用したフェムトセルシステムでありながら、回線交換網３００とのハンドオーバが可能となる。
【００３１】
本発明の第１の実施の形態によるフェムトセルシステムのネットワーク概要は、上記の図１に示す本発明によるＦｅｍｔｏ−ＧＷとＦｅｍｔｏ−ＭＧＷとを導入した後のＩＭＳ／ＭＭＤ方式のフェムトセルシステムのネットワーク概要と同様となっている。
【００３２】
回線交換網３００側は、図１２と同じ構成であり、回線交換網配下にＭＳ１が存在する。この回線交換網３００の構成ノードとしては、ＲＡＮ（Ｒａｄｉｏ  Ａｃｃｅｓｓ  Ｎｅｔｗｏｒｋ）側装置であるＲＮＣ／基地局２と、コア側ノードであるＭＳＣ３と、他網接続とのゲートとなるＧＳ４と、加入者データを管理するＨＬＲ（Ｈｏｍｅ  Ｌｏｃａｔｉｏｎ  Ｒｅｇｉｓｔｅｒ）／ＨＳＳ（Ｈｏｍｅ  Ｓｕｂｓｃｒｉｂｅｒ  Ｓｅｒｖｅｒ）５とが存在する。
【００３３】
また、ＩＭＳ／ＭＭＤ方式のフェムトセルシステムを構成するノードとしては、Ｆｅｍｔｏ配下にＭＳ６が存在し、ＭＳ６からの回線交換網３００の呼処理信号をＳＩＰ（Ｓｅｓｓｉｏｎ  Ｉｎｉｔｉａｔｅｄ  Ｐｒｏｔｏｃｏｌ）信号に変換するＦｅｍｔｏ−ＡＰ７が配置される。
【００３４】
Ｆｅｍｔｏ−ＡＰ７とＰＤＧ／ＡＧＷ８との間では、セキュリティ確保のためにＩＰｓｅｃ（Ｉｎｔｅｒｎｅｔ  Ｐｒｏｔｏｃｏｌ  ｓｅｃｕｒｉｔｙ  ｐｒｏｔｏｃｏｌ）トンネルを確立し、その確立したＩＰｓｅｃトンネルを通してＩＭＳ／ＭＭＤ網４００に接続する。
【００３５】
本実施の形態では、ＩＭＳ／ＭＭＤ網４００の入り口に、Ｆｅｍｔｏ−ＧＷ１２とＦｅｍｔｏ−ＭＧＷ１３とを新たに導入し、ＩＭＳ／ＭＭＤ網４００から見たＳＩＰ端末を擬似する。Ｆｅｍｔｏ−ＧＷ１２とＦｅｍｔｏ−ＭＧＷ１３とは、回線交換網３００側のノードであるＭＳＣ３とも接続する。
【００３６】
ＩＭＳ／ＭＭＤ網４００には、図１２と同様に、呼処理を行うＣＳＣＦ９と、付加サービスのサービス制御を行うＡＳ１０と、他網接続とのゲートとなるＭＧＣＦ／ＩＭ−ＭＧＷ１１と、加入者データを管理するＨＬＲ／ＨＳＳ５とが存在する。
【００３７】
ここで、ＲＮＣ／基地局２は、ＲＮＣと基地局とに分離されてネットワークに配置されることが一般的である。また、ＨＬＲ／ＨＳＳ５は、ＨＬＲ機能とＨＳＳ機能との縮退構成として記載しているが、ネットワークによって、回線交換網３００内にＨＬＲが、ＩＭＳ／ＭＭＤ網４００内にＨＳＳがそれぞれ存在するケースもある。
【００３８】
さらに、Ｆｅｍｔｏ−ＡＰ７は、ＭＳ６からの回線交換網３００の呼処理信号をＳＩＰ信号に変換する機能を持つが、Ｆｅｍｔｏ−ＧＷ１２との間のインタフェースはＳＩＰに限る必要はなく、Ｆｅｍｔｏ−ＧＷ１２でＳＩＰ信号に変換しても良い。
【００３９】
図３は本発明の第１の実施の形態によるＦｅｍｔｏ−ＧＷ１２の構成例を示すブロック図である。図３において、Ｆｅｍｔｏ−ＧＷ１２は、ＩＭＳ／ＭＭＤ接続部１２１と、メディア制御部１２２と、ハンドオーバ制御部１２３と、認証／位置登録部１２４とを備えている。
【００４０】
ＩＭＳ／ＭＭＤ接続部１２１は、ＩＭＳ／ＭＭＤに接続するためのＳＩＰプロトコル機能を保持し、ＩＭＳ／ＭＭＤ網４００から見たＳＩＰ端末を擬似する。また、メディア制御部１２２は、メディア制御のために、例えばＭＥＧＡＣＯ（Ｍｅｄｉａ  Ｇａｔｅｗａｙ  Ｃｏｎｔｒｏｌ  ｐｒｏｔｏｃｏｌ）プロトコルを使用してＦｅｍｔｏ−ＭＧＷ１３を制御する。
【００４１】
さらに、ハンドオーバ制御部１２３は、ハンドオーバ制御のために、回線交換網３００側のＭＳＣ３との間でＭＡＰ（Ｍｏｂｉｌｅ  Ａｐｐｌｉｃａｔｉｏｎ  Ｐａｒｔ）等の回線交換網プロトコル機能を保持する。上記に加え、認証／位置登録部１２４は、回線交換網３００としての認証、位置登録のためにＨＬＲと接続する機能を保持している。
【００４２】
図４は本発明の第１の実施の形態によるＦｅｍｔｏ−ＭＧＷ１３の構成例を示すブロック図である。図３において、Ｆｅｍｔｏ−ＭＧＷ１３は、ＭＳ６とＩＭＳ／ＭＭＤ網４００との間に位置し、メディア変換部１３１と、ハンドオーバ処理部１３２とを備えている。
【００４３】
メディア変換部１３１は、Ｆｅｍｔｏ−ＧＷ１２からの指示によって、必要に応じてメディア変換を実施する。また、ハンドオーバ処理部１３２は、ハンドオーバ処理において、同じくＦｅｍｔｏ−ＧＷ１２からの指示によって、回線交換網３００側のＭＳＣ３と音声パスを接続する機能を保持する。
【００４４】
図５は本発明の第１の実施の形態による回線交換網３００内でのハンドオーバ処理（ハンドオーバ前の処理）の概要を示す図であり、図６は本発明の第１の実施の形態による回線交換網３００内でのハンドオーバ処理（ハンドオーバ後の処理）の概要を示す図であり、図７は本発明の第１の実施の形態によるＦｅｍｔｏ−ＧＷ１２とＦｅｍｔｏ−ＭＧＷ１３とを導入した後のフェムトセル配下から回線交換網配下へのハンドオーバ処理の概要を示す図である。これら図５〜図７を参照して本発明の第１の実施の形態におけるハンドオーバ処理について説明する。
【００４５】
フェムトセル配下と回線交換網配下とのハンドオーバ処理との差分を明確にするために、まず回線交換網３００におけるハンドオーバ処理を、図５に示す回線交換網３００内でのハンドオーバ処理（ハンドオーバー前）の概要と図６に示す回線交換網３００内でのハンドオーバ処理（ハンドオーバ後）の概要とを用いて説明する。
【００４６】
図５は回線交換網３００のハンドオーバ前の接続イメージである。回線交換網配下に２台のＭＳ１ａ，ＭＳ１ｂが存在し、それぞれＲＮＣ／基地局２ａ、ＲＮＣ／基地局２ｂを通してＭＳＣ３ａ、ＭＳＣ３ｂと接続しており、ＭＳＣ３ａとＭＳＣ３ｂとが接続することによって、呼処理信号、音声データが導通する。ＲＮＣ／基地局２ａ、ＲＮＣ／基地局２ｂあるいはＭＳＣ３ａ、ＭＳＣ３ｂはＭＳの位置によって同一のＲＮＣ／基地局、ＭＳＣとなる場合もある。
【００４７】
ここで、ＲＮＣ／基地局２ｂ配下に位置していたＭＳ１ｂがＲＮＣ／基地局２ａ配下に移動した場合の信号、音声の流れを図６に示す。ＲＮＣ／基地局２ｂは、ＭＳ１ｂからＲＮＣ／基地局２ａにハンドオーバする旨の通知を受けると、ＭＳＣ３ｂにハンドオーバ処理を依頼する。ＭＳＣ３ｂは、ハンドオーバ先のＭＳＣであるＭＳＣ３ａとの間でハンドオーバ処理を実施する。
【００４８】
ハンドオーバ後の呼処理信号は、ＭＳＣ３ｂからＲＮＣ／基地局２ｂへの接続ではなく、ＭＳＣ３ｂからＭＳＣ３ａへの接続となり、音声パスも接続する。ＭＳＣ３ａはＲＮＣ／基地局２ａとの間で音声パスを接続し、ＲＮＣ／基地局２ａはＭＳ１ｂとの間で音声パスを接続する。
【００４９】
このように、本実施の形態では、ＭＳＣ３ａ，３ｂ間で呼処理信号をやりとりし、音声パスを接続することで、回線交換網３００のハンドオーバを実現している。ここまでは既存処理である。
【００５０】
Ｆｅｍｔｏ−ＧＷ１２とＦｅｍｔｏ−ＭＧＷ１３とを用いたＩＭＳ／ＭＭＤ接続方式のフェムトセルシステムと回線交換網３００との間のハンドオーバの実現について説明する。
【００５１】
Ｆｅｍｔｏ−ＧＷ１２とＦｅｍｔｏ−ＭＧＷ１３とを用いたＩＭＳ／ＭＭＤ接続方式のフェムトセルシステムと回線交換網３００との間のハンドオーバは、Ｆｅｍｔｏ−ＧＷ１２とＦｅｍｔｏ−ＭＧＷ１３とが回線交換網３００のＭＳＣ相当機能を保持することでハンドオーバを実現する。
【００５２】
図２の接続からＭＳ６が回線交換網配下に移動した場合の信号、音声の流れを図７に示す。図７には、Ｆｅｍｔｏ−ＧＷ１２とＦｅｍｔｏ−ＭＧＷ１３とを導入した後のフェムトセル配下から回線交換網配下へのハンドオーバ処理の概要を示している。
【００５３】
Ｆｅｍｔｏ−ＡＰ７は、ＭＳ６から、ＲＮＣ／基地局２にハンドオーバする旨の通知を受けると、ＰＤＧ／ＡＧＷ８を通してＦｅｍｔｏ−ＧＷ１２にハンドオーバ処理を依頼する。Ｆｅｍｔｏ−ＧＷ１２は、ハンドオーバ先のＭＳＣであるＭＳＣ３との間で回線交換網３００のプロトコルを使用し、ハンドオーバ処理を実施する。
【００５４】
ハンドオーバ後の呼処理信号は、Ｆｅｍｔｏ−ＧＷ１２からＰＤＧ／ＡＧＷ８を通してＦｅｍｔｏ−ＡＰ７への接続ではなく、Ｆｅｍｔｏ−ＧＷ１２からＭＳＣ３への接続となり、音声パスの接続を変更するためにＦｅｍｔｏ−ＭＧＷ１３を制御する。音声パスは、Ｆｅｍｔｏ−ＧＷ１２からの制御によってＦｅｍｔｏ−ＭＧＷ１３からＰＤＧ／ＡＧＷ８を通してＦｅｍｔｏ−ＡＰ７への接続ではなく、Ｆｅｍｔｏ−ＭＧＷ１３からＭＳＣ３への接続となる。ＭＳＣ３はＲＮＣ／基地局２との間で音声パスを接続し、ＲＮＣ／基地局２はＭＳ６との間で音声パスを接続する。
【００５５】
このように、Ｆｅｍｔｏ−ＧＷ１２がＭＳＣ３との間で呼処理信号をやりとりし、Ｆｅｍｔｏ−ＭＧＷ１３とＭＳＣ３との間で音声パスを接続することでハンドオーバを実現する。
【００５６】
図８は本発明の第１の実施の形態によるフェムトセル配下から回線交換網配下へのハンドオーバの処理例を示すシーケンスチャートである。この図８を参照して、上記のフェムトセル配下から回線交換網配下へのハンドオーバシーケンスについて説明する。
【００５７】
図８は、３ＧＰＰ２（３ｒｄ  Ｇｅｎｅｒａｔｉｏｎ  Ｐａｒｔｎｅｒｓｈｉｐ  Ｐｒｏｊｅｃｔ  ２）ベースのシーケンスであり、Ｆｅｍｔｏ−ＧＷ１２とＭＳＣ３との間のプロトコルは３ＧＰＰ２で規定されるＭＡＰを前提としている。
【００５８】
ハンドオーバ処理を実施するノードとして、ハンドオーバ元（Ｓｏｕｒｃｅ）に、Ｆｅｍｔｏ−ＡＰ７、Ｆｅｍｔｏ−ＧＷ１２、Ｆｅｍｔｏ−ＭＧＷ１３がある。また、ハンドオーバ先（Ｔａｒｇｅｔ）には、ＭＳＣ３とＲＡＮ側装置であるＢＳＣ（Ｂａｓｅ  Ｓｔａｔｉｏｎ  Ｃｅｎｔｅｒ）とが存在する。
【００５９】
ＭＳがセッション確立済みのフェムトセル配下から回線交換網配下にハンドオーバする場合には、ＭＳがＦｅｍｔｏ−ＡＰ７に対してハンドオーバする旨を通知し、Ｆｅｍｔｏ−ＡＰ７がＳＩＰの例えば「ＭＥＳＳＡＧＥ」メソッド［ＭＥＳＳＡＧＥ（Ｈａｎｄｏｆｆ  Ｒｅｑｕｉｒｅｄ）］を使用し、Ｆｅｍｔｏ−ＧＷ１２にハンドオーバ先の情報を通知する（図８のａ１）。
【００６０】
Ｆｅｍｔｏ−ＧＷ１２は、ＳＩＰ「ＭＥＳＳＡＧＥ」を受信すると、ＳＩＰ「２００  ＯＫ（ＭＥＳＳＡＧＥ）」を返送するとともに（図８のａ２）、ＭＥＧＡＣＯ「Ａｄｄ」信号（Ａｄｄ  Ｒｅｑ、Ａｄｄ  Ｒｅｐｌｙ）によってハンドオーバ用のＦｅｍｔｏ−ＭＧＷ１３のリソースを確保する（図８のａ３，ａ４）。その後、Ｆｅｍｔｏ−ＧＷ１２は、確保したＦｅｍｔｏ−ＭＧＷ１３のリソース情報を設定した「ＦＡＣＤＩＲ２」をＴａｒｇｅｔのＭＳＣ３に送信する（図８のａ５）。
【００６１】
ＴａｒｅｇｅｔのＭＳＣ３は、配下のＢＳＣに「ＨＯＲＥＱ」を送信してハンドオーバ処理を実施する（図８のａ６）。ＭＳＣ３は、ＢＳＣから「ＨＯＲＥＱＡＣＫ」を受信すると（図８のａ７）、ＭＳＣ３の音声パス接続先情報を設定した「ｆａｃｄｉｒ２」をＦｅｍｔｏ−ＧＷ１２に返送する（図８のａ８）。
【００６２】
Ｆｅｍｔｏ−ＧＷ１２は、「ｆａｃｄｉｒ２」を受信すると、ＭＳＣ３側の接続情報をＭＥＧＡＣＯ「Ｍｏｄ」信号（Ａｄｄ  Ｒｅｑ、Ａｄｄ  Ｒｅｐｌｙ）によってＦｅｍｔｏ−ＭＧＷ１３に設定し（図８のａ９，ａ１０）、ＭＳＣ３に対して下り音声データをコピー処理するように指示する。
【００６３】
Ｆｅｍｔｏ−ＧＷ１２は、音声パスの接続が完了すると、Ｆｅｍｔｏ−ＡＰ７にハンドオーバ処理が完了した旨をＳＩＰ「ＭＥＳＳＡＧＥ」メソッドの「ＭＥＳＳＡＧＥ（Ｈａｎｄｏｆｆ  Ｃｏｍｍａｎｄ）」を使用して通知する（図８のａ１１）。Ｆｅｍｔｏ−ＡＰ７は、「ＭＥＳＳＡＧＥ（Ｈａｎｄｏｆｆ  Ｃｏｍｍａｎｄ）」を受信すると、ＳＩＰ「２００  ＯＫ（ＭＥＳＳＡＧＥ）」を返送する（図８のａ１２）。
【００６４】
Ｆｅｍｔｏ−ＧＷ１２は、Ｆｅｍｔｏ−ＡＰ７側からのハンドオーバ完了のＳＩＰ「ＭＥＳＳＡＧＥ」メソッドの「ＭＥＳＳＡＧＥ（Ｈａｎｄｏｆｆ  Ｃｏｍｍｅｎｃｅｄ）」を受信すると（図８のａ１３）、Ｆｅｍｔｏ−ＡＰ７にＳＩＰ「２００  ＯＫ（ＭＥＳＳＡＧＥ）」を返送する（図８のａ１４）。この後、Ｆｅｍｔｏ−ＧＷ１２は、Ｆｅｍｔｏ−ＭＧＷ１３にＭＥＧＡＣＯ「Ｍｏｄ」信号（Ｍｏｄ  Ｒｅｑ、Ｍｏｄ  Ｒｅｐｌｙ）によってＦｅｍｔｏ−ＡＰ７への下り音声データの送信を停止する（図８のａ１５，ａ１７）。
【００６５】
ＢＳＣ側のハンドオーバ処理が完了すると、ＭＳＣ３は、ＢＳＣから「ＨＯＣＯＭＰ」を受信し（図８のａ１６）、「ＭＳＯＮＣＨ」でＦｅｍｔｏ−ＧＷ１２へハンドオーバ処理の完了を通知する（図８のａ１８）。
【００６６】
Ｆｅｍｔｏ−ＧＷ１２は、「ＭＳＯＮＣＨ」を受信すると、ハンドオーバ用のＦｅｍｔｏ−ＭＧＷ１３のリソースを残し、Ｆｅｍｔｏ−ＡＰ７との間のＦｅｍｔｏ−ＭＧＷ１３のリソースをＭＥＧＡＣＯ「Ｓｕｂ」信号（Ｓｕｂ  Ｒｅｑ、Ｓｕｂ  Ｒｅｐｌｙ）によって削除する（図８のａ１９，ａ２０）。
【００６７】
また、Ｆｅｍｔｏ−ＧＷ１２は、ＳＩＰ「ＭＥＳＳＡＧＥ」メソッドの「ＭＥＳＳＡＧＥ（Ｃｌｅａｒ  Ｃｏｍｍａｎｄ）」によってＦｅｍｔｏ−ＡＰ７にハンドオーバ処理の完了を通知する（図８のａ２１）。Ｆｅｍｔｏ−ＡＰ７は、「ＭＥＳＳＡＧＥ（Ｃｌｅａｒ  Ｃｏｍｍａｎｄ）」を受信すると、ＳＩＰ「２００  ＯＫ（ＭＥＳＳＡＧＥ）（Ｃｌｅａｒ  Ｃｏｍｐｌｅｔｅ）」を返送する（図８のａ２２）。
【００６８】
さらに最後に、Ｆｅｍｔｏ−ＧＷ１２とＦｅｍｔｏ−ＡＰ７との間で確立していたセッションは、ＳＩＰ「ＢＹＥ」メソッドによって削除される（図８のａ２３，ａ２４）。上記のようにして、本実施の形態では、ハンドオーバ処理を実施する。
【００６９】
このように、本実施の形態では、ＩＭＳ／ＭＭＤ方式フェムトセルシステムにおいて、Ｆｅｍｔｏ−ＧＷ１２とＦｅｍｔｏ−ＭＧＷ１３とを用いることによって、ＩＭＳ／ＭＭＤ方式のフェムトセルシステム配下と回線交換網配下との間のハンドオーバを実現することができ、フェムトセルシステムと回線交換網３００との間をＭＳが移動した場合にでも、そのＭＳにおいて継続した通信を行うことができる。
【００７０】
本発明では、フェムトセル配下から回線交換網配下へのハンドオーバを例として記載しているが、回線交換網配下からフェムトセル配下へのハンドオーバや、フェムトセル配下とフェムトセル配下との間のハンドオーバも可能である。また、本発明では、ハンドオーバ処理実施のためにＦｅｍｔｏ−ＧＷ１２とＦｅｍｔｏ−ＭＧＷ１３とを導入しているが、新規にＦｅｍｔｏ−ＧＷ１２とＦｅｍｔｏ−ＭＧＷ１３とを導入しなくても、ＰＤＧ／ＡＧＷ８や、ＣＳＣＦ９等の既存の装置にＦｅｍｔｏ−ＧＷ１２及びＦｗｍｔｏ−ＭＧＷ１３各々の機能を縮退させることも可能である。
【００７１】
さらに、本発明では、回線交換網３００側のＭＳＣ３との間でハンドオーバを実施する例を記載しているが、オペレータによってＲＡＮ側でハンドオーバ処理を実施する場合もある。
【００７２】
フェムトセル配下と回線交換網配下とのハンドオーバ処理との差分を明確にするために、回線交換網３００でハンドオーバ処理を実施する例として、図９にＲＮＣ３ａ，３ｂ間でのハンドオーバ処理（ハンドオーバ前の処理）の概要を示し、図１０にＲＮＣ３ａ，３ｂ間でのハンドオーバ処理（ハンドオーバ後の処理）の概要を示す。
【００７３】
図９は、回線交換網３００のハンドオーバ前の接続イメージである。回線交換網配下に２台のＭＳ１ａ、ＭＳ１ｂが存在し、それぞれＲＮＣ／基地局２ａ、ＲＮＣ／基地局２ｂを通してＭＳＣ３ａ、ＭＳＣ３ｂと接続している。この場合には、ＭＳＣ３ａとＭＳＣ３ｂとが接続することによって、呼処理信号、音声データが導通する。ＲＮＣ／基地局２ａ、ＲＮＣ／基地局２ｂあるいはＭＳＣ３ａ、ＭＳＣ３ｂは、ＭＳの位置によって同一のＲＮＣ／基地局、ＭＳＣとなる場合もある。
【００７４】
ここで、ＲＮＣ／基地局２ｂ配下に位置していたＭＳ１ｂがＲＮＣ／基地局２ａ配下に移動した場合の信号、音声の流れを図１０に示す。ＲＮＣ／基地局２ｂは、ＭＳ１ｂからＲＮＣ／基地局２ａにハンドオーバする旨の通知を受ける。ＲＮＣ／基地局２ｂは、ハンドオーバ先のＲＮＣであるＲＮＣ／基地局２ａとの間でハンドオーバ処理を実施する。
【００７５】
ハンドオーバ後の呼処理信号は、ＲＮＣ／基地局２ｂからＭＳ１ｂへの接続ではなく、ＲＮＣ／基地局２ｂからＲＮＣ／基地局２ａへの接続となり、音声パスも接続する。ＲＮＣ／基地局２ａは、ＭＳ１ｂとの間で音声パスを接続する。
【００７６】
このように、本発明では、ＲＮＣ３ａ，３ｂ間で呼処理信号をやりとりし、音声パスを接続することでハンドオーバを実現している。ここまでは既存処理である。以下、ＩＭＳ／ＭＭＤ接続方式のフェムトセルシステムと回線交換網３００のＲＡＮ側装置との間のハンドオーバ処理について説明する。
【００７７】
Ｆｅｍｔｏ−ＧＷ１２とＦｅｍｔｏ−ＭＧＷ１３とを用いたＩＭＳ／ＭＭＤ接続方式のフェムトセルシステムと回線交換網３００のＲＡＮ側装置との間のハンドオーバを実現するためには、Ｆｅｍｔｏ−ＧＷ１２にＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）等のＲＡＮ側装置と通信するための回線交換網プロトコル機能を保持し、Ｆｅｍｔｏ−ＧＷ１２が回線交換網３００のＲＮＣ／基地局２ａ，２ｂと通信することによって、ＲＮＣ機能を持ったＦｅｍｔｏ−ＧＷ１２とＦｅｍｔｏ−ＭＧＷ１３とを導入した後のフェムトセル配下から回線交換網配下へのハンドオーバ処理の概要に示すような図１１の構成で、ＩＭＳ／ＭＭＤ方式のフェムトセルシステムと回線交換網３００のＲＡＮ側装置との間のハンドオーバ処理を実現することが可能となる。
【００７８】
図１１は、回線交換網３００のＲＡＮ側装置との間でハンドオーバした状態を示している。ＭＳ６が回線交換網配下に移動した場合、Ｆｅｍｔｏ−ＡＰ７は、ＭＳ６からＲＮＣ／基地局２にハンドオーバする旨の通知を受ける。Ｆｅｍｔｏ−ＡＰ７は、ＰＤＧ／ＡＧＷ８を通してＦｅｍｔｏ−ＧＷ１２にハンドオーバ処理を依頼する。
【００７９】
Ｆｅｍｔｏ−ＧＷ１２は、ハンドオーバ先のＲＮＣであるＲＮＣ／基地局２との間で回線交換網３００のプロトコルを使用し、ハンドオーバ処理を実施する。ハンドオーバ後の呼処理信号は、Ｆｅｍｔｏ−ＧＷ１２からＰＤＧ／ＡＧＷ８を通してＦｅｍｔｏ−ＡＰ７への接続ではなく、Ｆｅｍｔｏ−ＧＷ１２からＲＮＣ／基地局２への接続となり、音声パスの接続を変更するためにＦｅｍｔｏ−ＭＧＷ１３を制御する。
【００８０】
音声パスは、Ｆｅｍｔｏ−ＧＷ１２からの制御によってＦｅｍｔｏ−ＭＧＷ１３からＰＤＧ／ＡＧＷ８を通してＦｅｍｔｏ−ＡＰ７への接続ではなく、Ｆｅｍｔｏ−ＭＧＷ１３からＲＮＣ／基地局２への接続となる。ＲＮＣ／基地局２はＭＳ６との間で音声パスを接続する。
【００８１】
このように、本発明では、Ｆｅｍｔｏ−ＧＷ１２がＲＮＣとの間で呼処理信号をやりとりし、Ｆｅｍｔｏ−ＭＧＷ１３とＲＮＣとの間で音声パスを接続することでハンドオーバを実現する。
【産業上の利用可能性】
【００８２】
本発明は、フェムトセルシステムを新規に導入するオペレータ、特に、ＩＭＳ／ＭＭＤシステムを保持しているオペレータやこれからＩＭＳ／ＭＭＤを導入するオペレータに適用可能である。本発明では、ＩＭＳ／ＭＭＤを活用しながら回線交換網とのハンドオーバを提供することが可能となる。
【図面の簡単な説明】
【００８３】
【図１】本発明によるＦｅｍｔｏ−ＧＷとＦｅｍｔｏ−ＭＧＷとを導入した後のＩＭＳ／ＭＭＤ方式のフェムトセルシステムのネットワーク概要を示す図である。
【図２】図１のＦｅｍｔｏ−ＧＷとＦｅｍｔｏ−ＭＧＷとを導入した後のＩＭＳ／ＭＭＤ方式のフェムトセル網と回線交換網との間の通信概要を示す図である。
【図３】本発明の第１の実施の形態によるＦｅｍｔｏ−ＧＷの構成例を示すブロック図である。
【図４】本発明の第１の実施の形態によるＦｅｍｔｏ−ＭＧＷの構成例を示すブロック図である。
【図５】本発明の第１の実施の形態による回線交換網内でのハンドオーバ処理（ハンドオーバ前の処理）の概要を示す図である。
【図６】本発明の第１の実施の形態による回線交換網内でのハンドオーバ処理（ハンドオーバ後の処理）の概要を示す図である。
【図７】本発明の第１の実施の形態によるＦｅｍｔｏ−ＧＷとＦｅｍｔｏ−ＭＧＷとを導入した後のフェムトセル配下から回線交換網配下へのハンドオーバ処理の概要を示す図である。
【図８】本発明の第１の実施の形態によるフェムトセル配下から回線交換網配下へのハンドオーバの処理例を示すシーケンスチャートである。
【図９】本発明の第１の実施の形態によるＲＮＣ間でのハンドオーバ処理（ハンドオーバ前の処理）の概要を示す図である。
【図１０】本発明の第１の実施の形態によるＲＮＣ間でのＲＮＣ間でのハンドオーバ処理（ハンドオーバ後の処理）の概要を示す図である。
【図１１】本発明によるＲＮＣ機能を持ったＦｅｍｔｏ−ＧＷとＦｅｍｔｏ−ＭＧＷとを導入した後のフェムトセル配下から回線交換網配下へのハンドオーバ処理の概要を示す図である。
【図１２】本発明に関連するＩＭＳ／ＭＭＤ方式のフェムトセルネットワークの概要を示す図である。
【図１３】本発明に関連するＩＭＳ／ＭＭＤ方式の回線交換網とフェムトセルとの間の通信の概要を示す図である。
【符号の説明】
【００８４】
１，１ａ，１ｂ，６  ＭＳ
２，２ａ，２ｂ  ＲＮＣ／基地局
３，３ａ，３ｂ  ＭＳＣ
４  ＧＳ
５  ＨＬＲ／ＨＳＳ
７  Ｆｅｍｔｏ−ＡＰ
８  ＰＤＧ／ＡＧＷ
９  ＣＳＣＦ
１０  ＡＳ
１１  ＭＧＣＦ／ＩＭ−ＭＧＷ
１２  Ｆｅｍｔｏ−ＧＷ
１３  Ｆｅｍｔｏ−ＭＧＷ
１００  公衆網
１２１  ＩＭＳ／ＭＭＤ接続部
１２２  メディア制御部
１２３  ハンドオーバ制御部
１２４  認証／位置登録部
１３１  メディア変換部
１３２  ハンドオーバ処理部
２００  Ｆｅｍｔｏ網
３００  回線交換網
４００  ＩＭＳ／ＭＭＤ網
【図１】
2011171779.tif 000003
【図２】
2011171779.tif 000004
【図３】
2011171779.tif 000005
【図４】
2011171779.tif 000006
【図５】
2011171779.tif 000007
【図６】
2011171779.tif 000008
【図７】
2011171779.tif 000009
【図８】
2011171779.tif 000010
【図９】
2011171779.tif 000011
【図１０】
2011171779.tif 000012
【図１１】
2011171779.tif 000013
【図１２】
2011171779.tif 000014
【図１３】
2011171779.tif 000015